(57)【特許請求の範囲】
【請求項１】
自転車のハンドル本体の左右両端部に取り付けられる自転車用のグリップであって、ハンドル本体の外周に装着される筒状部と、後方に膨出する後方膨出部とを備え、前記後方膨出部は、前記筒状部の後部から撓むことが可能な状態で後方に延びる後方延長支持部と、この後方延長支持部から広がるように形成されて運転者の手の平を下方から受けることが可能な広がり受け部とを有し、この広がり受け部が前記後方延長支持部を介して支持され、前記筒状部の外周に外装部が装着されていることを特徴とする自転車用のグリップ。
【請求項２】
前記筒状部と前記後方延長支持部と前記広がり受け部とが、前記外装部よりも硬い硬質材料によって互いに続いた状態で形成されていることを特徴とする請求項１記載の自転車用のグリップ。
【請求項３】
前記後方膨出部に、前記外装部に続いて、前記後方延長支持部と広がり受け部との間に嵌まり込んで、前記後方延長支持部および広がり受け部と一体的に弾性変形する嵌合外装部が設けられ、この嵌合外装部は、前記筒状部よりも軟らかい軟質材料で形成されていることを特徴とする請求項２記載の自転車用のグリップ。
【請求項４】
前記後方膨出部において、前記広がり受け部の一部が外部に露出し、後方膨出部の他の箇所が軟質材料の嵌合外装部で略覆われていることを特徴とする請求項３記載の自転車用のグリップ。
【請求項５】
前記後方膨出部において、前記後方延長支持部が、後方膨出部よりも上下寸法が小さい細幅の断面形状で後方に延び、前記後方延長支持部から広がり受け部が上下に広がるように構成されていることを特徴とする請求項１〜４の何れか１項に記載の自転車用のグリップ。
【請求項６】
前記後方膨出部における、後方延長支持部と広がり受け部と嵌合外装部とが形成されている箇所が、ハンドル本体の軸心方向に対して、間隔をあけて複数設けられていることを特徴とする請求項３記載の自転車用のグリップ。
【請求項７】
前記硬質材料と前記軟質材料とが同系の材料で形成されていることを特徴とする請求項３または４記載の自転車用のグリップ。
【請求項８】
後方延長支持部で支持されている広がり受け部が複数の箇所に設けられ、各箇所の広がり受け部の先端部同士が、外部に露出する接続受け部を介して接続されていることを特徴とする請求項１〜３の何れか１項に記載の自転車用のグリップ。
【発明の詳細な説明】
【技術分野】
【０００１】
本発明は自転車のハンドルの両端部に設けられる自転車用のグリップに関する。
【背景技術】
【０００２】
自転車のハンドルの両端部にはハンドルを把持し易くするためにグリップが取り付けられている。ハンドルの本体部分（以下、ハンドル本体と称す）は、断面が円筒形状の金属パイプから構成されており、一般に、グリップは、ハンドル本体の両端部を外周および側方から覆う円筒形状（詳しくは端部の側面部分がある有底円筒形状）で、弾性を有する塩化ビニル系の樹脂材などのエラストマーを用いて形成されている。なお、グリップに関する技術としては、例えば特許文献１に、硬めの材料で構成した筒状の内筒部の外側に、軟らかめの材料で構成した外筒部を組み合わせ、グリップの外側部分である外筒部が手に優しく接触するように図ったものが開示されている。
【０００３】
この種のグリップは、従来、その断面形状が単なる円形であったため、図１７に示すように、グリップ１００を握った際に、手の平（手の掌）Ｍを受ける面積が狭い難点があった。したがって、長時間にわたって自転車を運転していると、手首Ｎの位置が下がって曲がり角度θが大きくなり易く、この場合には、手首Ｂに負荷がかかって疲れ易くなる短所があった。
【０００４】
この短所を改善する構造として、図１８に示すように、グリップ１１０の後部を後方に膨出させて後方膨出部１１１を形成し、断面形状が略卵形になるように形成したものが実用化されつつある。この種のグリップ１１０によれば、後方膨出部１１１で運転者の手の平（手の掌）Ｍを受けることができて、手の平Ｍを受ける面積が広くなるので、手首Ｎの位置が下がって手首Ｎの曲がり角度θが大きくならないように阻止できる。したがって、長時間にわたって自転車を運転した場合でも、手首Ｎがあまり曲がらない姿勢を維持できる。
【先行技術文献】
【特許文献】
【０００５】
【特許文献１】特開平８−６７２８６号公報
【発明の概要】
【発明が解決しようとする課題】
【０００６】
しかしながら、図１８に示すようなグリップ１１０は、単に、グリップ１１０の後部を後方に膨出させただけの構造であるので、運転者の手の平を後方膨出部１１１に載せて下方に力を加えた際に、急激に後方膨出部１１１からの反力を受ける恐れがある。また、地面からの衝撃などを、前輪を介してハンドルに受けた際に、この衝撃が吸収されること無く手の平などに作用して、手や手首などへの負担を良好には軽減できないおそれがある。
【０００７】
本発明は上記課題を解決するもので、グリップを握った際に、手首の位置が下がって手首の曲がり角度が大きくなることを抑えることができるだけでなく、手からの力を良好に受けたり、手や手首への衝撃を良好かつ確実に吸収できたりする自転車用のグリップを提供することを目的とするものである。
【課題を解決するための手段】
【０００８】
上記課題を解決するために、本発明は、自転車のハンドル本体の左右両端部に取り付けられる自転車用のグリップであって、ハンドル本体の外周に装着される筒状部と、後方に膨出する後方膨出部とを備え、前記後方膨出部は、前記筒状部の後部から撓むことが可能な状態で後方に延びる後方延長支持部と、この後方延長支持部から広がるように形成されて運転者の手の平を下方から受けることが可能な広がり受け部とを有し、この広がり受け部が前記後方延長支持部を介して支持され、前記筒状部の外周に外装部が装着されていることを特徴とする。
【０００９】
上記構成によれば、後方膨出部に設けられた広がり受け部によって、運転者の手の平（手の掌）を受けることができるだけでなく、広がり受け部が、変形し易い後方延長支持部を介して支持されているので、運転者の手の平を後方膨出部に載せて下方に力を加えた際に、後方延長支持部が下方に撓みながら良好に運転者の手の平からの力を受けることができる。また、地面からの衝撃などを、前輪を介してハンドルに受けた際に、この衝撃が後方延長支持部で吸収されながら広がり受け部を介して手の平などに作用して、手や手首などへの負担を良好に軽減することが可能となる。
【００１０】
また、本発明の自転車用のグリップは、前記筒状部と前記後方延長支持部と前記広がり受け部とが、前記外装部よりも硬い硬質材料によって互いに続いた状態で形成されていることを特徴とする。この構成により、筒状部と後方延長支持部と広がり受け部とが硬い硬質材料によって形成されているので、比較的大きな力でも広がり受け部により良好に受けることができる。また、外装部は、筒状部などより軟らかい軟質材料で形成されるので、グリップを握った際に、軟らかく接触し、長時間にわたって自転車を運転した場合でも、手の平や指の内側を傷めたり、まめができたりすることを最小限に抑えることができる。
【００１１】
また、本発明は、前記後方膨出部に、前記外装部に続いて、前記後方延長支持部と広がり受け部との間に嵌まり込んで、前記後方延長支持部および広がり受け部と一体的に弾性変形する嵌合外装部が設けられ、この嵌合外装部は、前記筒状部よりも軟らかい軟質材料で形成されていることを特徴とする。この構成により、前記後方膨出部において、嵌合外装部が後方延長支持部および広がり受け部から離脱することなく一体的に弾性変形する。
【００１２】
また、本発明は、前記後方膨出部において、前記広がり受け部の一部が外部に露出し、後方膨出部の他の箇所が軟質材料の嵌合外装部で略覆われていることを特徴とする。この構成によれば、前記広がり受け部の外部に露出している箇所で手の平からの力を直接良好に受けることができる。また前記広がり受け部が露出していない箇所は軟質材料の嵌合外装部により略覆っていることにより、手や手の平の他の箇所は軟質材料の嵌合外装部に接触して、手の平や指の内側を傷めたり、まめができたりすることを最小限に抑えることができる。
【００１３】
なお、前記後方膨出部において、前記後方延長支持部が、後方膨出部よりも上下寸法が小さい細幅の断面形状で後方に延び、前記後方延長支持部から広がり受け部が上下に広がるように構成すれば好適である。
【００１４】
また、本発明は、前記後方膨出部における、後方延長支持部と広がり受け部と嵌合外装部とが形成されている箇所が、ハンドル本体の軸心方向に対して、間隔をあけて複数設けられていることを特徴とする。この構成により、後方延長支持部と広がり受け部と嵌合外装部とが形成されている箇所の数を増減させることで、手から力を受けた際の前記後方膨出部の撓み状態（変形状態）などが最適になるように良好に調整可能となる。
【００１５】
また、本発明は、前記硬質材料と前記軟質材料とが同系の材料で形成されていることを特徴とする。この構成により、前記硬質材料の部分と前記軟質材料の部分とが互いに融着して前記軟質材料の部分が前記硬質材料の部分から離反することを最小限に抑えることができ、前記後方膨出部において、嵌合外装部が後方延長支持部や広がり受け部に追随して良好に変形することができる。
【００１６】
また、後方延長支持部で支持されている広がり受け部を複数の箇所に設け、各箇所の広がり受け部の先端部同士を、外部に露出する接続受け部を介して接続させてもよく、これによれば、後方膨出部において露出する接続受け部が手の平に良好に接触して、手の力を広がり受け部や後方延長支持部を介してハンドルの本体部分に良好に伝えることができる。
【発明の効果】
【００１７】
本発明によれば、運転者の手の平を下方から受けることが可能な広がり受け部を、撓むことが可能な後方延長支持部を介して支持したので、運転者の手の平を後方膨出部に載せて下方に力を加えた際に、前記力が増加するにつれて後方延長支持部が下方に撓みながら良好なクッション性を有した状態で運転者の手の平からの力を受けることができる。また、地面からの衝撃などを、前輪を介してハンドルに受けた際でも、この衝撃が後方延長支持部で吸収されながら広がり受け部を介して手の平などに作用して、手や手首などへの負担を良好に軽減することが可能となる。
【００１８】
また、前記後方膨出部に、筒状部の外周に装着されている外装部に続いて、前記後方延長支持部と広がり受け部との間に嵌まり込んで、前記後方延長支持部および広がり受け部と一体的に弾性変形する嵌合外装部を軟質材料で設けることにより、この嵌合外装部が後方延長支持部および広がり受け部から離脱することなく一体的に弾性変形する。
【００１９】
また、広がり受け部の一部を外部に露出させることで、この露出箇所で手の平からの力を直接良好に受けることができる。また前記広がり受け部が露出していない箇所を軟質材料の嵌合外装部により略覆うことにより、軟質材料で形成された嵌合外装部がやさしく手の平に接触し、良好なフィット感を与えることができるとともに、手の平や指の内側を傷めたり、まめができたりすることを最小限に抑えることができる。
【００２０】
また、前記後方膨出部における、後方延長支持部と広がり受け部と嵌合外装部とが形成されている箇所を、ハンドル本体の軸心方向に対して、間隔をあけて複数設け、この数を増減させることで、手から力を受けた際の前記後方膨出部の変形状態（撓み状態）などが最適になるように良好に調整することが可能となる。これにより、自転車の種類やハンドルの力など、ハンドルに作用する力の大きさや方向に良好に対応させたグリップを製造することが可能となる。
【図面の簡単な説明】
【００２１】
【図１】本発明の実施の形態に係る自転車用のグリップを備えたハンドルの斜視図
【図２】同グリップの斜視図
【図３】同グリップの硬質材料体の斜視図
【図４】同グリップの軟質材料体の斜視図
【図５】同グリップの平面図
【図６】（ａ）〜（ｃ）はそれぞれ同グリップの側面断面図で、（ａ）は図５におけるＶＩａ−ＶＩａ線矢視断面図、（ｂ）は図５におけるＶＩｂ−ＶＩｂ線矢視断面図、（ｃ）は図５におけるＶＩｃ−ＶＩｃ線矢視断面図
【図７】同グリップを把持した状態を簡略的に示す断面図
【図８】同グリップを把持して力を付与した状態を簡略的に示す断面図
【図９】同グリップの背面図で、仮想線部は力を付与する前の状態、実線部は力を付与した状態
【図１０】本発明の他の実施の形態に係るグリップの斜視図
【図１１】同グリップの硬質材料体の斜視図
【図１２】（ａ）、（ｂ）および（ｃ）は同グリップの正面図、平面図および背面図
【図１３】（ａ）、（ｂ）および（ｃ）は同グリップの硬質材料体の正面図、平面図および背面図
【図１４】（ａ）および（ｂ）は同グリップの硬質材料体の右側面図および左側面図
【図１５】同グリップを把持した状態を簡略的に示す断面図
【図１６】同グリップを把持して力を付与した状態を簡略的に示す断面図
【図１７】従来のグリップを把持した状態を簡略的に示す断面図
【図１８】従来の後方膨出部を有するグリップを把持した状態を簡略的に示す断面図
【発明を実施するための形態】
【００２２】
以下、本発明の実施の形態に係る自転車用のグリップを、図面に基づき説明する。
図１、図２、図５などにおける１は本発明の実施の形態に係る自転車用のグリップで、図１に簡略的に示すように、自転車のハンドルの左右両端部に取り付けられる。なお、図１ではグリップが自転車のハンドルの左端部に取り付けられている状態を示している。つまり、ハンドルは、断面が円筒形状の金属パイプからなるハンドル本体２と、グリップ１とからなり、グリップ１はハンドル本体２の左右両端部に圧入されるなどして外側に嵌め込まれた状態で装着される。
【００２３】
グリップ１は、弾性を有しながら比較的硬い硬質材料からなる硬質材料体Ａ（図３参照）と、弾性を有しながら硬質材料体Ａよりも軟らかい軟質材料からなる軟質材料体Ｂ（図４参照）とを組み合わせて形成されている。ここで、これらの材料体Ａ、Ｂは、同じ成分を含む材料で構成されることが好適であり、他に硬さを変更する成分の配合量を調整したり、製造工程を変更したり、追加したりして作られる。例えば、これらの硬質材料体Ａ、軟質材料体Ｂとも、塩化ビニル系樹脂や、ウレタン系樹脂、スチレン系樹脂、オレフィン系樹脂などの共通成分を有するエラストマーで製造すると好適である。このように、何れの材料体Ａ、Ｂとも同じ成分の材料を含有させることで、製品となった状態での互いの材料体Ａ、Ｂの密着性を高めることができる利点がある。なお、硬さを調整する方法としては、上記したように、硬さを変更する成分の配合量を調整する他、軟質材料Ｙのみを発泡させたり、硬質材料体Ａよりも軟質材料体Ｂの発泡率を多くしたりして調整するとよいが、これに限るものではない。なお、グリップ１は、例えば、硬質材料体Ａが金型などを用いて成形され（この際、金型内には、ハンドル本体２に対応する形状の中子が配設される）、さらに成形後の硬質材料体Ａが別途金型の内部（キャビティ）に配設された状態で、軟質材料が硬質材料体Ａを包み込むようにして金型内に注入されて成形されるが、この製造方法に限るものではない。
【００２４】
図２〜図６などに示すように、グリップ１は、ハンドル本体２の端部の外周箇所に配設されたグリップ本体部３と、グリップ本体部３の後部から後方に膨出する後方膨出部４とから構成され、側面視した断面形状（すなわち、ハンドル本体２の軸心方向Ｘ（図２、図５参照）に直交する面で切断した断面視した断面形状）は略卵形とされている。グリップ本体部３は、ハンドル本体２の外周に圧入されるなどして装着され、硬質材料で形成された筒状部５と、筒状部５の外周に略筒状に装着され軟質材料で形成された外装部６とから構成されている。この実施の形態では、グリップ１の左右両端部は、硬質材料からなる筒状部５が外部に露出した状態で形成され、筒状部５の各端部５ａ、５ｂにより、軟質材料で形成された外装部６は左右に移動しないよう位置規制されている。また、筒状部５におけるハンドル本体２の中央寄りの端部（図２における右端部）５ｂの上部と下部とにはグリップ１の長さ方向（ハンドル本体２の軸心方向Ｘ）に延びる横長部５ｃが一体形成され、これにより、外装部６が周方向にも移動しないよう規制されている。
【００２５】
図２〜図５に示すように、グリップ１の後方膨出部４は、それぞれ硬質材料で形成された後方延長支持部７および広がり受け部８と軟質材料で形成された嵌合外装部９とが互いに嵌まり込んだ状態で組み合わされて配設されている立設ピン嵌合部１０と、単に軟質材料のみで形成された膨出外装部１１とが、ハンドル本体２の軸心方向Ｘに対して交互に設けられている。すなわち、後方延長支持部７と広がり受け部８と嵌合外装部９とが形成されている立設ピン嵌合部１０は、ハンドル本体２の軸心方向Ｘに対して、間隔をあけて複数（この実施の形態では４箇所）設けられている。
【００２６】
ここで、図６（ａ）や図７、図８に示すように、立設ピン嵌合部１０の後方延長支持部７は、筒状部５の後部から撓むことが可能な状態（変形し易い状態）で後方に延びている。図６（ａ）に示すように、後方延長支持部７は、後方膨出部４よりも上下寸法が小さい細幅の断面形状で、より具体的には、上下方向に対して細幅の棒状形状で、後方に延びることで、上下に撓み易い状態で形成されている。そして、広がり受け部８は、後方延長支持部７により基部で繋がった状態で、この実施の形態では後方延長支持部７の後端部から上下に広がって、運転者の手の平Ｍを下方から受けることが可能な形状に形成されている。また、嵌合外装部９は、後方延長支持部７と広がり受け部８との間に嵌まり込んで、これらの後方延長支持部７および広がり受け部８と一体的に弾性変形するよう構成されている。また、後方膨出部４において、広がり受け部８の先端側に広がる湾曲面が外部に露出する一方、後方膨出部４の他の箇所は軟質材料の嵌合外装部９で覆われて露出している。
【００２７】
したがって、図３に示すように、硬質材料体Ａは、グリップ本体部３の筒状部５と、後方膨出部４の立設ピン嵌合部１０に設けられた後方延長支持部７および広がり受け部８とが、硬質材料により一体成形されて形成されている。また、軟質材料体Ｂは、図４、図５、図６（ａ）、（ｂ）などに示すように、グリップ本体部３の外装部６と、後方膨出部４の立設ピン嵌合部１０に設けられた嵌合外装部９と、後方膨出部４の膨出外装部１１とが、軟質材料により一体成形されて形成されている。
【００２８】
なお、この実施の形態では、広がり受け部８が手によりなじみ易くするため、広がり受け部８の外面露出箇所の上端部と下端部とに窪み部８ａが形成されている。また、この実施の形態では、広がり受け部８と後方延長支持部７との接続箇所は、後方延長支持部７よりも大きい断面形状（この実施の形態では略矩形の断面形状）の段付き接続部８ｂが形成され、後方延長支持部７と広がり受け部８とが確実かつ良好に接続されるよう構成されている。
【００２９】
上記構成においても、グリップ１に後方膨出部４が設けられているので、手の平Ｍを受ける面積が広くなり、自転車の運転者によりグリップ１が把持されると、図７、図８に示されているように、後方膨出部４により運転者の手の平Ｍが受けられ、手首Ｎの位置が下がって手首Ｎの曲がり角度が大きくなることが阻止される。したがって、長時間にわたって自転車を運転した場合でも、手首Ｎがあまり曲がらない姿勢を維持できる。
【００３０】
また特に、グリップ１の後方膨出部４には、筒状部５の後部から撓むことが可能な状態で後方に延びる硬質材料製の後方延長支持部７と、この後方延長支持部７から広がるように形成されて運転者の手の平Ｍを下方から受けることが可能な硬質材料製の広がり受け部８とが設けられている。したがって、グリップ１に下方に力が加えられた際には、図７〜図９に示すように、加えられた力に対応して、後方延長支持部７が下方に撓みながら（変形しながら）、後方膨出部４に設けられた広がり受け部８などによって運転者の手の平（手の掌）Ｍが良好に受けられる。すなわち、加えられた力に対応して、後方延長支持部７が徐々に下方に撓みながら、手の平（手の掌）Ｍが受けられるので、運転者の手の平Ｍを後方膨出部４に載せて下方に力を加えた際に、後方膨出部４からの反力も徐々に手の平Ｍに加えられ、運転者は、良好なクッション性を有した状態でグリップ１を握ることができる。また、筒状部５と後方延長支持部７と広がり受け部８とは硬質材料によって形成されているので、比較的大きな力でも後方延長支持部７および広がり受け部８により良好に受けられる。
【００３１】
また、地面からの衝撃などを、前輪を介してハンドルに受けた際でも、この衝撃が後方延長支持部７で吸収されながら広がり受け部８を介して手の平などに作用するため、手や手首などへの負担が良好に軽減される。
【００３２】
なお、運転者の手の平によりグリップ１の後方膨出部４が下方に力を加えられた際には、図８に示すように、硬質材料で形成された後方延長支持部７が下方に撓むだけでなく、グリップ１の後方膨出部４において軟質材料で形成された嵌合外装部９および外装部６の各上側部分は斜め下方に伸びるように変形し、嵌合外装部９および外装部６の各下側部分は圧縮されながら変形する。したがって、この際、後方膨出部４の後方延長支持部７だけでなく、嵌合外装部９および外装部６の各上側部分にも、元の形状に収縮しようとする力が発生し、また、グリップ１の後方膨出部４における嵌合外装部９および外装部６の各下側部分には元の形状に戻ろうとする押し上げ力が発生する。これにより、硬質材料と軟質材料とで組み合わされた立設ピン嵌合部１０における後方延長支持部７だけでなく、嵌合外装部９によっても手の平からの力を良好に受けることができる。
【００３３】
また、筒状部５の外周には軟質材料からなる外装部６が装着され、また、後方膨出部４における立設ピン嵌合部１０の間には軟質材料からなる膨出外装部１１が設けられているので、これらの軟質材料の外装部６および膨出外装部１１が、グリップ１を握った際に手に優しく接触し、長時間にわたって自転車を運転した場合でも、手の平や指の内側を傷めたり、まめができたりすることを最小限に抑えることができる。
【００３４】
また、それぞれ硬質材料で形成された後方延長支持部７と広がり受け部８との間に、軟質材料により形成されている嵌合外装部９が嵌まり込んだ状態で組み合わされているので、軟質材料の部分が硬質材料の部分から離脱して空回りすることが防止され、後方膨出部４において、嵌合外装部９が後方延長支持部７および広がり受け部８から離脱することなく一体的に弾性変形する。さらに、グリップ１における硬質材料と軟質材料とを同系の材料で形成することより、硬質材料と軟質材料との境界部で軟質材料と硬質材料とが互いに融着して離反することを最小限に抑えることができ、後方膨出部４において、嵌合外装部９が後方延長支持部７や広がり受け部８に追随して良好に変形する。
【００３５】
また、後方膨出部４において、広がり受け部８の一部を外部に露出させているので、この広がり受け部８の露出部で手の平Ｍからの力を直接良好に受けることができる。また上記のように、後方膨出部４における、後方延長支持部７と広がり受け部８と嵌合外装部９とが形成されている立設ピン嵌合部１０を、ハンドル本体２の軸心方向に対して、間隔をあけて複数設けた構成としたことにより、立設ピン嵌合部１０の数を調整することで、手に与える反力や後方膨出部４の変形状態（撓み状態）などが最適になるように容易かつ良好に調整することが可能となる。
【００３６】
上記実施の形態では、複数の立設ピン嵌合部１０は互いに独立して立設する形状であったが、これに限るものではなく、後方膨出部４において、立設ピン嵌合部１０の先端部に設けられた広がり受け部８同士を接続する接続受け部２２を設けて、この接続受け部２２が外部に露出するよう構成してもよい。
【００３７】
図１０〜図１６は、このような構成を有する本発明の他の実施の形態に係るグリップ２１を示すものである。このグリップ２１においても、ハンドル本体２の端部の外周箇所に配設されたグリップ本体部３と、グリップ本体部３の後部から後方に膨出する後方膨出部４とからなる。また、グリップ本体部３は、ハンドル本体２の外周に圧入されるなどして装着され、硬質材料で形成された筒状部５と、筒状部５の外周に略筒状に装着され軟質材料で形成された外装部６とから構成される。なお、図１１、図１３、図１４は硬質材料体Ａを示している。
【００３８】
ただし、このグリップ２１では、後方延長支持部７、広がり受け部８および嵌合外装部９（図１５、図１６参照）とからなる立設ピン嵌合部１０が、後方膨出部４における左右方向の両端部のみ形成されている。すなわち、この実施の形態では、ハンドルの先端部に対応するグリップ２１の一端部と、ハンドルの先端部よりも少し中央寄りに位置するグリップ２１の中央部にわたって後方膨出部４が形成され、この後方膨出部４の両端部のみに立設ピン嵌合部１０が形成されている。詳しくは、図１１などに示すように、一方の立設ピン嵌合部１０Ａには、後方に延びる後方延長支持部７に、上下に延びる４つの広がり受け部８が形成され、他方の立設ピン嵌合部１０Ｂには、後方に延びる後方延長支持部７に、上下に延びる２つの広がり受け部８が形成されている。そして、各立設ピン嵌合部１０（１０Ａ、１０Ｂ）における後方延長支持部７の先端に設けられた広がり受け部８同士の間に、グリップ２１の表面部において、ハンドルの軸心方向Ｘに沿って延びる接続受け部２２が外部に露出するように形成されて接続されている。
【００３９】
この実施の形態に係るグリップ２１によれば、後方膨出部４において露出する接続受け部２２が手の平Ｍに良好に接触して、手の力を広がり受け部８や後方延長支持部７を介して外装部６やハンドル本体３に良好に伝えることができる。なお、手の平Ｍから後方膨出部４に力が加えられた際には、上記実施の形態と同様に、加えられた力に対応して、後方延長支持部７が下方に撓むとともに、嵌合外装部９が伸縮しながら変形することで、後方膨出部４に設けられた広がり受け部８などによって運転者の手の平（手の掌）Ｍからの力が良好に受けられる。また、地面からの衝撃などを、前輪を介してハンドルに受けた際でも、この衝撃が後方延長支持部７で吸収されながら広がり受け部８を介して手の平などに作用するため、手や手首などへの負担が良好に軽減される。
【産業上の利用可能性】
【００４０】
本発明は、各種の自転車用のグリップとして好適に適用でき、スポーツジムなどに設置される固定されたトレーニング用の自転車や電動自転車などにも適用することが可能である。
【符号の説明】
【００４１】
１、２１    グリップ
２    ハンドル本体
３    グリップ本体部
４    後方膨出部
５    筒状部
６    外装部
７    後方延長支持部
８    広がり受け部
９    嵌合外装部
１０    立設ピン嵌合部
１１    膨出外装部
２２    接続受け部
Ａ    硬質材料体
Ｂ    軟質材料体
【図１】
0005874042.tif 000002
【図２】
0005874042.tif 000003
【図３】
0005874042.tif 000004
【図４】
0005874042.tif 000005
【図５】
0005874042.tif 000006
【図６】
0005874042.tif 000007
【図７】
0005874042.tif 000008
【図８】
0005874042.tif 000009
【図９】
0005874042.tif 000010
【図１０】
0005874042.tif 000011
【図１１】
0005874042.tif 000012
【図１２】
0005874042.tif 000013
【図１３】
0005874042.tif 000014
【図１４】
0005874042.tif 000015
【図１５】
0005874042.tif 000016
【図１６】
0005874042.tif 000017
【図１７】
0005874042.tif 000018
【図１８】
0005874042.tif 000019